(57)【要約】      （修正有）【課題】タンポ印刷方式において使用する凹版印刷版を従来の製版方法よりも、より容易に製版できるようにすることにある。【解決手段】被印刷体の凹状又は凸状の３次元曲面にタンポ印刷方式にて印刷画像を形成するためのタンポ印刷用凹版印刷版Ａにおいて、被印刷体の３次元曲面に対応させた部分放物線状又は部分楕円形状又は部分円形状の凹版製版用基板１の平滑な３次元曲面に、凹溝状の画線部２を設けて製版されている３次元曲面へのタンポ印刷用凹版印刷版Ａと、下周面が楕円面や半球面等の規則的な曲面形状のタンポ印刷用タンポ手段と、凹版印刷用インキとを用いて、被印刷体Ｅの凹状又は凸状の３次元曲面に印刷する。【選択図】図１
2008149508.tif 000002
【特許請求の範囲】
【請求項１】
被印刷体の凹状又は凸状の３次元曲面にタンポ印刷方式にて印刷画像を形成するためのタンポ印刷用凹版印刷版において、被印刷体の３次元曲面に対応させた形状の凹版製版用基板１の凹状又は凸状の平滑な３次元曲面に凹溝状の画線部２を設けて製版されていることを特徴とする３次元曲面へのタンポ印刷用凹版印刷版。
【請求項２】
前記凹版製版用基板１の凹状又は凸状の平滑な３次元曲面が、部分放物線状又は部分楕円形状又は部分円形状であることを特徴とする請求項１記載の３次元曲面へのタンポ印刷用凹版印刷版。
【請求項３】
前記凹版製版用基板の平滑な３次元曲面が、アルミニウム製の基板をプレス叩き出し方式にて叩き出すことにより被印刷体の３次元曲面に対応させて形成されていることを特徴とする請求項１又は２記載の３次元曲面へのタンポ印刷用凹版印刷版。
【請求項４】
前記凹版製版用基板の平滑な３次元曲面に形成された凹溝状の画線部が、該３次元曲面の中央部分から外周部分に向かって徐々に、深い深度にて製版されていることを特徴とする請求項１乃至３のいずれか１項記載の３次元曲面へのタンポ印刷用凹版印刷版。
【請求項５】
前記凹版製版用基板の平滑な３次元曲面に形成された凹溝状の画線部が、刻切彫刻方式にて針刀を用いて刻切彫刻されて製版されていることを特徴とする請求項１乃至４のいずれか１項記載の３次元曲面へのタンポ印刷用凹版印刷版。
【請求項６】
請求項１乃至５のいずれか１項記載の３次元曲面へのタンポ印刷用凹版印刷版と、下周面が楕円面や半球面等の規則的な曲面形状のタンポ印刷用タンポ手段と、凹版印刷用インキとを用いて、被印刷体の３次元曲面に印刷することを特徴とする３次元曲面へのタンポ印刷方法。
【発明の詳細な説明】
【技術分野】
【０００１】
本発明は、プラスチック成形品の３次元曲面に、所定形状パターンの導電層や絶縁層、あるいは精密な導電パターンや絶縁パターンを形成するための３次元曲面へのタンポ印刷用凹版印刷版及び３次元曲面へのタンポ印刷方法に関する。
【背景技術】
【０００２】
従来の３次元曲面への精密画像形成方法としては、フォトリソグラフィ方式や凹版オフセット印刷方式のひとつであるタンポ（タコ）印刷方式等がある。このタンポ印刷方式は平坦な基材面に凹溝状のパターンや、同一サイズの微細な凹溝状の単位セルを複数単位に集合させたパターンからなる凹溝状画線部が形成された凹版印刷版と、該凹版の上方に柔らかいシリコーンラバーからなる半球状面や楕円半球状面、あるいは船底状面を呈した柔軟なプレス体としての印刷用のタンポ手段とを備えている。
【０００３】
一般にタンポ印刷方式は、前記凹版の平坦面を含めて凹溝状の画線部内に凹版用インキを供給した後、その凹版の平坦面をスキージングして平坦面のインキを除去しながら画線部内にインキを充填する。続いて、その凹版の上方にあるタンポを、凹版の平坦面及び画線部上に下降させて押し当てた後、該タンポを上昇させて、画線部内に充填されているインキを該タンポの下周面に前記画線部の形状のパターンインキとして付着転移させる。続いて、そのパターンインキが転移した前記タンポを、被印刷体の３次元曲面の上方に移動させた後、該３次元曲面にそのタンポを下降させて、該タンポの下周面に転移している前記画線部の形状パターンインキを該被印刷体面の３次元曲面に押し当ててた後、該タンポを上昇させることにより該被印刷体面の３次元曲面に転写させて印刷するものである。
【０００４】
このようにタンポ印刷方式においては、平坦な凹版印刷版と、下周面が楕円面や半球面等の規則的な曲面形状のタンポとを用いて、被印刷体面の３次元曲面に転写印刷する。そのため平坦な凹版印刷版を製版する際には、凹版印刷版の画線部から被印刷体面の３次元曲面に転写印刷されたパターンの形状に、印刷すべきパターンに対して歪みが生じないようにタンポや被印刷体の曲面形状の曲率等を考慮して寸法設計して製版する必要があるため、タンポ印刷用の凹版印刷版の製版には多くの時間が必要であり、精巧な技術と熟練が要求されていた。    
【０００５】
下記に本発明に関連する先行技術文献を記載する。
【特許文献１】特開平０３−０９０３５７号公報
【特許文献２】特公平０７−０２９４７５号公報
【発明の開示】
【発明が解決しようとする課題】
【０００６】
本発明の課題は、プラスチック成形品やメッキを施したプラスチック成形品の３次元曲面に、所定形状パターンの導電層や絶縁層やレジスト層、あるいは精密な導電パターンや絶縁パターンやレジストパターンを形成するための３次元曲面へのタンポ印刷用凹版印刷版及び３次元曲面へのタンポ印刷方法において、そのタンポ印刷方式において使用する凹版印刷版を、従来の製版方法よりもより容易に、精度良いパターンを製版し印刷できるようにすることにある。
【課題を解決するための手段】
【０００７】
本発明の請求項１に係る発明は、被印刷体の凹状又は凸状の３次元曲面にタンポ印刷方式にて印刷画像を形成するためのタンポ印刷用凹版印刷版において、被印刷体の３次元曲面に対応させた形状の凹版製版用基板の平滑な３次元曲面に、凹溝状の画線部を設けて製版されていることを特徴とする３次元曲面へのタンポ印刷用凹版印刷版である。
【０００８】
本発明の請求項２に係る発明は、上記請求項１に係る３次元曲面へのタンポ印刷用凹版印刷版において、前記凹版製版用基板の平滑な３次元曲面が、部分放物線状又は部分楕円形状又は部分円形状であることを特徴とする３次元曲面へのタンポ印刷用凹版印刷版である。
【０００９】
本発明の請求項３に係る発明は、上記請求項１又は２に係る３次元曲面へのタンポ印刷用凹版印刷版において、前記凹版製版用基板の平滑な３次元曲面が、アルミニウム製の基板をプレス叩き出し方式にて叩き出すことにより被印刷体の３次元曲面に対応させて形成されていることを特徴とする３次元曲面へのタンポ印刷用凹版印刷版である。
【００１０】
本発明の請求項４に係る発明は、上記請求項１乃至３のいずれか１項に係る３次元曲面へのタンポ印刷用凹版印刷版において、前記凹版製版用基板の平滑な３次元曲面に形成された凹溝状の画線部が、該３次元曲面の中央部分から外周部分に向かって徐々に深い深度にて製版されていることを特徴とする３次元曲面へのタンポ印刷用凹版印刷版である。
【００１１】
本発明の請求項５に係る発明は、上記請求項１乃至４のいずれか１項に係る３次元曲面へのタンポ印刷用凹版印刷版において、前記凹版製版用基板の平滑な３次元曲面に形成された凹溝状の画線部が、刻切彫刻方式にて針刀を用いて刻切彫刻されて製版されていることを特徴とする３次元曲面へのタンポ印刷用凹版印刷版である。
【００１２】
本発明の請求項６に係る発明は、上記請求項１乃至５のいずれか１項に係る３次元曲面へのタンポ印刷用凹版印刷版と、下周面が楕円面や半球面等の規則的な曲面形状のタンポ印刷用タンポ手段と、凹版印刷用インキとを用いて、被印刷体の凹状又は凸状の３次元曲面に印刷することを特徴とする３次元曲面へのタンポ印刷方法である。
【発明の効果】
【００１３】
本発明の３次元曲面へのタンポ印刷用凹版印刷版は、被印刷体の凹状又は凸状の３次元曲面に対応させた形状の凹版製版用基板の平滑な３次元曲面に、凹溝状の画線部を設けて製版されている。このような被印刷体の３次元曲面に対応させた形状の３次元曲面を備えた本発明の凹版印刷版は、従来のタンポ印刷方式のような平坦な凹版印刷版を製版する場合に比較して、タンポや被印刷体の曲面形状の曲率等を考慮して寸法設計して製版する手間が省力化できる効果があり、製版所要時間が短縮でき、また従来のような精巧な技術と熟練を軽減できる効果があり、精度良いパターンを製版きる効果がある。
【００１４】
また、本発明の３次元曲面へのタンポ印刷方法は、被印刷体の凹状又は凸状の３次元曲面に対応させた形状の本発明のタンポ印刷用凹版印刷版を用いて印刷するものであり、下周面が楕円面や半球面等の規則的な曲面形状のタンポ印刷用タンポ手段と、凹版印刷用インキとを用いて、被印刷体の凹状又は凸状の３次元曲面に印刷するものである。そのために従来のタンポ印刷方式のような平坦な凹版印刷版と、下周面が楕円面や半球面等の規則的な曲面形状のタンポ手段と、凹版印刷用インキとを用いて、被印刷体面の３次元曲面に印刷する場合に比較して、被印刷体の３次元曲面に印刷すべき規定のパターンに対する凹版印刷版の画線部から被印刷体面の３次元曲面に印刷されるパターンの形状の歪みが軽減される効果がある。またタンポ印刷に使用する凹版印刷版の製版も、従来に比較してタンポや被印刷体の曲面形状の曲率等を考慮して寸法設計して製版する手間が省力化でき、製
版所要時間が短縮でき、また従来のような精巧な技術と熟練を軽減できる効果があり、精度良いパターンを製版し印刷できる効果がある。
【発明を実施するための最良の形態】
【００１５】
本発明の３次元曲面へのタンポ印刷用凹版印刷版を、その実施の形態に基づいて以下に詳細に説明する。図１（ａ）は本発明の３次元曲面へのタンポ印刷用の一実施の形態における凹版印刷版を説明する側面図、図１（ｂ）はその全体斜視図、図１（ｃ）はその上面図である。
【００１６】
本発明の３次元曲面へのタンポ印刷用の凹版印刷版Ａは、図１（ａ）、（ｂ）に示すように、凹版製版用基板１には、その片面１ａ又は１ｂに、被印刷体の凹状又は／凸状の３次元曲面に対応させた形状の凹状又は凸状の平滑な３次元曲面を備えていて、その平滑な凹状３次元曲面又は凸状３次元曲面には、凹溝状の凹部画線部２が製版されて設けられているものである。
【００１７】
前記基板１の片面１ａ又は１ｂにおける凹状又は凸状の平滑な３次元曲面の形状、曲率（Ｒ）としては、被印刷体の凹状又は／凸状の３次元曲面の形状や曲率に対応させたものであれば、本発明においては特に限定するものではないが、例えば、形状としては部分放物線状又は部分楕円形状又は部分円形状等であり、また、その部分放物線状又は部分楕円形状又は部分円形状等の曲率（Ｒ）に関しては、被印刷体の３次元曲率（Ｒ）と同じか、又はそれに近似した曲率が好ましいが、被印刷体の３次元曲率より大きい曲率の３次元曲面、あるいは僅かに大きい曲率の３次元曲面であってもよい。
【００１８】
前記基板１の素材としては、例えば、アルミニウム、ニッケル、真鍮、銅、銀合金などの金属板であって、その平坦な形状の金属板を、プレス成形加工、叩き出し成形加工等の機械成形加工により、被印刷体の凹状又は凸状の３次元曲面に対応する凹状又は／凸状の３次元曲面の形状に成形加工し易い素材が望ましい。また、前記基板１の素材としては、必要に応じてプラスチック製の基板１（予め被印刷体の凹状又は凸状の３次元曲面に対応する凹状又は／凸状の３次元曲面の形状に成形加工されたもの）であってもよい。
【００１９】
前記基板１の凸状の平滑な３次元曲面１ａ又は凹状の平滑な３次元曲面１ｂに製版形成された凹溝状の画線部２は、文字や絵柄やストライプ状パターンや回路パターンや絶縁パターン等の適宜なる印刷用画像であり、その画線部２の凹溝内に充填されたインキを被印刷体に転移させることにより印刷されて画線が形成される。その画線部２は、通常の凹版印刷方式や凹版オフセット印刷方式における凹版印刷版のように、平面視において１つの凹部パターン乃至複数の凹部パターンの集合により、１種類の印刷用画像が構成されている。
【００２０】
あるいは、グラビア印刷方式における凹版印刷版（ポーシェルタイプ、コンベンショナルタイプ）のように、平面視において微細な複数の角状や楕円状などの凹溝状セル（ピクセル）を１単位の凹部パターンとして、その複数単位の凹部パターンの集合体により１種類の印刷用画像が構成されていてもよい。例えば、本発明の凹版印刷版Ａの画線部２は、図１（ｃ）に示す本発明の一実施の形態における凹版印刷版を説明する上面図に図示するようにストライプ（線条）状パターンとして製版形成されている。
【００２１】
本発明における凹版印刷版Ａの凹溝状画線部２は、その基板１の３次元曲面の中央部分から外周部分に向かって徐々に深い深度にて製版されていて、その基板１の中央部分に行く程に深度が浅く、そのために後において供給されるインキの充填深度も浅くなるように製版されており、また、その基板１の外周部分に行く程に深度が深く、そのために後において供給されるインキの充填深度も深くなるように製版されている。
【００２２】
本発明の凹版印刷版Ａの製版方法としては、被印刷体の凹状又は凸状の３次元曲面に対応させた形状の凹状又は凸状の金属製の鋼材や銅材等、又はプラスチック製のポリスチレン、ポリ塩化ビニル、ポリカーボネート等の前記凸状又は凹状の凹版製版用基板１の平滑な３次元曲面（必要に応じてその曲面に耐腐食膜を塗布）に、従来より公知のマニュアル彫刻（直刻）方式、パントグラフ、平行線彫刻機（筋引き機）、細紋（彩紋）彫刻機、レリーフ彫刻機、渦線（スパテラル）彫刻機、全自動コンピュータ制御細紋（彩紋）彫刻機（ｃｏｍｐｕｔｅｒｉｚｅｄ  ｇｕｉｌｌｏｃｈｅ  ｍａｃｈｉｎｅ、ヘリオクリッショグラフ）等の公知の機械彫刻方式（刻切彫刻方式）にて、あるいは化学的腐食彫刻（食刻）方式にて、文字や絵柄やストライプ状パターンや回路パターンや絶縁パターン等の適宜なる凹溝状の画線部２を、パターン状に印刷用画像として刻切彫刻する（必要に応じて彫刻後に腐食液にて腐食する）して、耐刷強度向上のため彫刻面にクロムメッキ膜を施すことにより、凹版原版と同じ凹版印刷版が複製されて、本発明の３次元曲面へのタンポ印刷用凹版印刷版Ａ（図１（ａ）〜（ｃ）参照）と同じ凹版印刷版Ａが得られる。
【００２３】
また、本発明の上記凹版印刷版Ａの複製版の製造方法としては、公知のプレス転写法、電鋳法などがあり、例えば、プレス転写法としては、被印刷体の凹状又は凸状の３次元曲面に対応させた形状の凹状又は凸状の金属製の基板１（例えば鋼板）の平滑な３次元曲面に、従来より公知のマニュアル彫刻（直刻）方式、機械彫刻方式、化学的腐食彫刻（食刻）方式にて刻切彫刻して、上記の凹版印刷版Ａを製版し、この凹版印刷版Ａを凹版原版（原版）として焼入れ硬化し、その凹版原版をプレス転写法にて父型用鋼ロールに凹版製版用の父型凸版として転写形成して焼入れ硬化し、その父型用鋼ロールの父型凸版をプレス転写法にて黄銅板に転写形成して、耐刷強度向上のため黄銅板面にクロムメッキ膜を施すことにより、凹版原版と同じ黄銅板による凹版印刷版が複製されて、本発明の３次元曲面へのタンポ印刷用凹版印刷版Ａ（図１（ａ）〜（ｃ）参照）と同じ凹版印刷版Ａが得られる。
【００２４】
また、電鋳法としては、被印刷体の凹状又は凸状の３次元曲面に対応させた形状の凹状又は凸状の金属製又はプラスチック製の基板１（例えば）の平滑な３次元曲面に、従来より公知のマニュアル彫刻（直刻）方式、機械彫刻方式、化学的腐食彫刻（食刻）方式にて刻切彫刻して、上記の凹版印刷版Ａを製版し、この凹版印刷版Ａを凹版原版（電鋳母型）として、金属製電鋳母型を用いた銅、ニッケル電鋳によるロウ型法、鉛型法、鉛合金クラッチ法、又はプラスチック製電鋳母型を用いた銅、ニッケル電鋳によるプラスチック法等により銅電鋳版、ニッケル電鋳版を作成して、耐刷強度向上のため該電鋳版面にクロムメッキ膜を施すことにより、凹版原版と同じ凹版印刷版が複製されて、本発明の３次元曲面へのタンポ印刷用凹版印刷版Ａ（図１（ａ）〜（ｃ）参照）と同じ凹版印刷版Ａが得られる。
【００２５】
図２（ａ）〜（ｄ）、図３（ａ）〜（ｄ）に示す印刷工程に基づいて本発明の３次元曲面へのタンポ印刷用凹版印刷版を用いたタンポ印刷方法について以下に説明する。
【００２６】
なお、図中、Ａは本発明の３次元曲面へのタンポ印刷用凹版印刷版であり、被印刷体の３次元曲面に対応する３次元曲面の基板１の凹内面側に凹溝状の画線部２を製版したものであり、Ｂは凹版印刷版Ａの上方に配置された昇降動作及び上方にて水平動作可能なタンポ手段であり、昇降動作及び水平動作を行う作動軸Ｃに取り付けられていて、柔らかいシリコーンラバーからなる柔軟に変形可能なプレス体としてのタンポ部Ｂ1 を備え、そのタンポ部Ｂ1 における下周面Ｂ2 は、半球状面、楕円半球状（ドーム状）面、あるいは船底状面などの凸状３次元曲面を呈している。
【００２７】
前記タンポ部Ｂ1 における印刷有効面としての下周面Ｂ2 の凸状３次元曲面が、部分放
物線状又は部分楕円形状又は部分円形状等の凸状３次元曲面であれば、その曲率（Ｒ）としては、印刷時におけるタンポ部Ｂ1 及びその下周面Ｂ2 の圧縮変形（印圧）を考慮して少なくとも、凹版印刷版Ａの３次元曲面及び被印刷体の３次元曲面の曲率（Ｒ）よりも小さい曲率であって被印刷体の凹状又は／凸状の３次元曲面の曲率に対応させたものであれば、本発明においては特に限定するものではないが、好ましくは、印刷有効面としての下周面Ｂ2 は、凹版印刷版Ａの３次元曲面及び被印刷体の３次元曲面の曲率（Ｒ）より僅かに小さい曲率であることが望ましい。
【００２８】
図２（ａ）に示すように、本発明の凹版印刷版Ａをその画線部２を上にして載置台Ｄ上に載置して固定する。なお固定方式や取付方式については、本発明においては特に特定されないが、例えば載置台Ｄに設置されたクランプ（挟持）手段やネジ螺着手段などにより凹版印刷版Ａと載置台Ｄとを接続固定する方式がよい。続いて、凹版印刷版Ａの凹部画線部２の形成面（凹部画線部２内及び非画線部の平滑面上）に凹版印刷用インキＩを供給被覆した後、スキージ板Ｓ（ドクター板）にて凹版印刷版Ａの平滑面全面をスキージングして余剰インキを掻き取る。これにより図２（ｂ）に示すように凹版印刷版Ａの凹部画線部２内にインキが充填されて、平滑面全面からインキＩが拭い取られる。
【００２９】
続いて図２（ｃ）に示すように、タンポ手段Ｂを昇降動作する作動軸Ｃにより、凹版印刷版Ａの凹部画線部２の形成面まで下降動作させ、そのタンポ手段Ｂのタンポ部Ｂ1 の弾力によって、その下周面Ｂ2 を凹部画線部２の形成面に押し当て、凹部画線部２内に充填されたインキＩをタンポ手段Ｂの下周面Ｂ2 に密着させる。続いて、図２（ｄ）に示すようにタンポ手段Ｂを昇降動作する作動軸Ｃにより上止点まで上昇動作させることにより、タンポ手段Ｂは、その下周面Ｂ2 に凹部画線部２内のインキＩが付着した状態で上昇して元の上方位置に復帰する。
【００３０】
続いて、図３（ａ）に示すように、凹版印刷版Ａ真上の上止点に停止しているインキＩが付着した状態のタンポ手段Ｂを、水平動作を行う作動軸Ｃにより水平動作させて、図３（ｂ）に示すように、前記凹版印刷版Ａの凹状３次元曲面を形成するために対応させた印刷すべき被印刷体Ｅの凹状３次元曲面Ｅ1 の上方に移動させる。なお、Ｅ2 は被印刷体Ｅの凸状３次元曲面である。
【００３１】
続いて図３（ｃ）に示すように、タンポ手段Ｂを昇降動作する作動軸Ｃにより、凹版印刷版Ａの凹部画線部２の形成面まで下降動作させ、そのタンポ手段Ｂのタンポ部Ｂ1 の弾力によって、その下周面Ｂ2 を被印刷体Ｅの凹状３次元曲面Ｅ1 に押し当て、下周面Ｂ2 に付着している前記画線部２から転移したパターン（画像）のインキＩを被印刷体Ｅの凹状３次元曲面Ｅ1 に密着させる。
【００３２】
続いて図３（ｄ）に示すように、タンポ手段Ｂを、昇降動作する作動軸Ｃにより上止点まで上昇動作させ、元の上方位置に復帰させることにより、タンポ手段Ｂの下周面Ｂ2 に付着していた前記画線部２によるパターンのインキＩは、下周面Ｂ2 から被印刷体Ｅの凹状３次元曲面Ｅ1 に転写印刷される。
【図面の簡単な説明】
【００３３】
【図１】（ａ）は本発明の３次元曲面へのタンポ印刷用凹版印刷版の側面図、（ｂ）は本発明の３次元曲面へのタンポ印刷用凹版印刷版の全体斜視図、（ｃ）は本発明の３次元曲面へのタンポ印刷用凹版印刷版の平面図。
【図２】（ａ）〜（ｄ）は本発明の３次元曲面へのタンポ印刷方法を説明する印刷工程図。
【図３】（ａ）〜（ｄ）は本発明の３次元曲面へのタンポ印刷方法を説明する印刷工程図。
【符号の説明】
【００３４】
Ａ…タンポ印刷用凹版印刷版
Ｂ…タンポ手段
Ｂ1 …タンポ部
Ｂ2 …下周面部
Ｃ…作動軸
Ｄ…版載置台
Ｉ…凹版印刷用インキ
１…基板
２…凹部画線部
【図１】
2008149508.tif 000003
【図２】
2008149508.tif 000004
【図３】
2008149508.tif 000005